(57)【要約】【課題】均一で高品質な結晶雪を安定して生成でき、連続的に広範囲へ大量に降雪させることができ、構造が複雑でない、結晶型人工降雪機構、その集合体、及び結晶型人工降雪装置を提供する。【解決手段】結晶型人工降雪機構は、上部から下部に向かって幅が狭くなる逆円錐台状の周側面を有し、少なくとも周側面が空気透過性有孔膜で構成される袋状結晶雪捕集体３１と、捕集体３１の周側面の内側面に、水平に密接した複数の円形骨組み２１と、捕集体３１の周側面の外側に離隔して設けられ、降雪用空気の給気口を備える給気経路と、捕集体３１の上部を貫通し、捕集体３１の内側に、有孔膜を透過した空気の排気口４１１を備える排気経路４１０と、各円形骨組み２１に接続され、各円形骨組み２１を歪ませ及び／又は振動させることができる張力部材５１と、を備える。【選択図】図１
2014196877.tif 000002
【特許請求の範囲】
【請求項１】
上部から下部に向かって幅が狭くなる逆円錐台状又は逆多角錐台状の周側面を有し、少なくとも前記周側面が空気透過性有孔膜で構成される袋状結晶雪捕集体と、
前記捕集体の周側面の内側面に、水平に密接した複数の円形又は多角形骨組みと、
前記捕集体の周側面の外側に離隔して設けられ、降雪用空気の給気口を備える給気経路と、
前記捕集体の上部を貫通し、前記捕集体の内側に、前記有孔膜を透過した空気の排気口を備える排気経路と、
前記各骨組みに接続され、前記各骨組みを歪ませ及び／又は振動させることができる張力部材と、を備える結晶型人工降雪機構。
【請求項２】
前記給気経路は、前記捕集体の中心軸を中心として点対称に複数配置されている、請求項１に記載の結晶型人工降雪機構。
【請求項３】
前記排気経路は、末端が閉口した１つの管状部材からなり、前記骨組みで区切られた前記捕集体の各段それぞれに、通過する空気の流量を一定にした排気口を備えた、請求項１又は２に記載の結晶型人工降雪機構。
【請求項４】
前記排気経路は、末端が開口した複数の管状部材からなり、前記骨組みで区切られた前記捕集体の各段それぞれに、１つの管状部材の末端の開口が排気口として配置されている、請求項１又は２に記載の結晶型人工降雪機構。
【請求項５】
前記各骨組みの外周にそれぞれ２つの前記張力部材が接続され、各張力部材が前記骨組みの中心から外側に向かう同一線方向に沿って外側に向かって延設されている、請求項１〜４のいずれか１項に記載の結晶型人工降雪機構。
【請求項６】
前記各骨組みそれぞれに１つの前記張力部材が前記骨組みの中心部に接続されている、請求項１〜４のいずれか１項に記載の結晶型人工降雪機構。
【請求項７】
請求項６に記載の結晶型人工降雪機構を同一水平面上に複数配置してなる結晶型人工降雪機構集合体。
【請求項８】
請求項５に記載の結晶型人工降雪機構を同一水平面上に複数配置し、隣接する結晶型人工降雪機構の対応する張力部材同士が連結されてなる結晶型人工降雪機構集合体。
【請求項９】
請求項１〜６のいずれか１項に記載の結晶型人工降雪機構若しくは請求項７又は８に記載の結晶型人工降雪機構集合体と、降雪用空気作製装置とを備える結晶型人工降雪装置。
【発明の詳細な説明】
【技術分野】
【０００１】
本発明は、人工雪の製造に関し、より詳しくは、均一で高品質な結晶雪を安定して生成でき、連続的に広範囲へ大量に降雪させることができ、構造が複雑でない、結晶型人工降雪機構、その集合体、及び結晶型人工降雪装置に関する。
【背景技術】
【０００２】
降雪装置で製造される結晶型人工雪は、自動車等各種機械製品、建材、構造物などの耐久試験等や、観察、イベントを目的とした博物館等の体験学習に利用されている。従来の結晶型降雪装置及びそれに用いられる降雪機構としては、例えば、以下の装置及び機構がある。
【０００３】
特許文献１が開示する造雪装置は、内周面を冷却できるようにした縦型円筒ドラムと、その円筒ドラム内に水蒸気を供給する加湿装置と、その円筒ドラム内周面上に形成される元雪を掻きとるためのブラシロールと、はね上げ棒と、を備えている。この造雪装置では、加湿装置から供給された水蒸気が円筒ドラム内周面に元雪となって付着し、その元雪をブラシロールで掻き取り、はね上げ棒でそのブラシロールをはね上げて元雪を振り落として降雪させている。
【０００４】
特許文献２が開示する人工降雪装置は、表面に多数の糸状体がそれらの一端において取り付けられている複数個の着氷棒と、その着氷棒が取り付けられ、それらを上下に循環駆動するコンベアと、加湿器と、冷凍装置と、着氷棒の循環経路の下方に設けられ先端が着氷棒に接する多数の棒状突起が取り付けられた回転軸と、を備えている。この人工降雪装置では、加湿器から噴霧された微小水滴が、冷凍装置で生じた寒冷気中を通過する時に雪の結晶となって着氷棒の糸状体に付着し、その付着した雪の結晶を回転軸の棒状突起で掻き落として降雪させている。
【０００５】
特許文献３が開示する雪の製造方法は、断熱性の外筒内に、絞り部を形成した内筒を設け、その絞り部に低温の加圧空気と冷水とをジェット噴射し、断熱膨張と外筒頂部から吸気する筒内減圧に基づく蒸発潜熱の奪取とにより内部冷却を行う。この方法では、断熱膨張と蒸発潜熱による温度降下により成長する雪を、ジェット噴流で浮遊させ、上昇気流で支えきれなくなるまで質量を増やし、自重で降下させて降雪させている。
【０００６】
特許文献４が開示する人工結晶雪製造装置は、冷却器と、加湿装置と、膜体が細かいメッシュの通気性を有する織物状に構成された回転通気膜装置を所要の間隔で多数配設した造雪室を備えている。この製造装置では、加湿装置から造雪室内へ氷飽和以上の湿度の冷風を送風機により供給して膜体を透過させ、この膜体の表面に霜を生成させ、その霜に前記の冷風中の水蒸気を供給して成長し、成長した霜の一部を霜除去装置で落下させて降雪させている。
【先行技術文献】
【特許文献】
【０００７】
【特許文献１】特開平２−１０３３６０号公報
【特許文献２】特開平２−２３００７４号公報
【特許文献３】特開昭６２−２５５７７０号公報
【特許文献４】特許第３３９７５８２号公報
【発明の概要】
【発明が解決しようとする課題】
【０００８】
しかし、特許文献１に記載の装置は、構造上、過飽和蒸気や過冷却微水滴を結晶生成近傍まで、大量に供給できる機構でなく、冷却板の特性上、結晶が成長すると、結晶表面と、内側から板表面まで温度勾配が生じるため結晶の制御が困難である。
【０００９】
また、特許文献２に記載の装置は、気流方向に対して、多層に担体を配置しているので、担体層の気流上流側と下流側で、担体に供給される水蒸気や過冷却微水滴の質、量が異なり、上流側と下流側で生成される結晶性能に違いが生じる。
【００１０】
また、特許文献３に記載の方法は、上昇気流中で氷核を導入し、過飽和蒸気や過冷却微水滴により結晶化されるので、結晶性状は良いが、風量に制限がある等、大量に生成させることが困難である。更に、上昇気流を均一に発生させるため、風洞内で生成しなければならず、装置が高さ方向に長くその割には降雪範囲が狭い。
【００１１】
また、特許文献４に記載の方法は、投入した水蒸気や過冷却微水滴を含んだ空気を、膜に通過させるので、ロスなく大量に結晶を生成できる。また、膜を回転させることにより、連続的に結晶を掻き取り降雪させることができる。しかし、機構が回転体を伴い複雑である。また、固定位置である掻き取り機構の部分に集中して降雪してしまう。
【００１２】
本発明は、かかる点に鑑みてなされたものであり、その課題は、均一で高品質な結晶雪を安定して生成でき、連続的に広範囲へ大量に降雪させることができ、構造が複雑でない、結晶型人工降雪機構を提供することにある。
【課題を解決するための手段】
【００１３】
本発明者は、前記課題を解決するため鋭意検討し、天井全面に通気性の膜を使用した捕集体を配置し、膜面そのものを歪ませ振動させると、膜上の結晶雪の堆積が剥離し易く、その雪を落下させるので、降雪斑が起きにくいことを見出した。本発明者は更に検討を進め、本発明を完成するに至った。
【００１４】
すなわち、本発明は、以下の態様を含む。
（１）上部から下部に向かって幅が狭くなる逆円錐台状又は逆多角錐台状の周側面を有し、少なくとも周側面が空気透過性有孔膜で構成される袋状結晶雪捕集体と、前記捕集体の周側面の内側面に、水平に密接した複数の円形又は多角形骨組みと、前記捕集体の周側面の外側に離隔して設けられ、降雪用空気の給気口を備える給気経路と、前記捕集体の上部を貫通し、前記捕集体の内側に、前記有孔膜を透過した空気の排気口を備える排気経路と、前記各骨組みに接続され、前記各骨組みを歪ませ及び／又は振動させることができる張力部材と、を備える結晶型人工降雪機構。
（２）前記給気経路は、前記捕集体の中心軸を中心として点対称に複数配置されている、前記（１）に記載の結晶型人工降雪機構。
（３）前記排気経路は、末端が閉口した１つの管状部材からなり、前記骨組みで区切られた前記捕集体の各段それぞれに、通過する空気の流量を一定にした排気口を備えた、前記（１）又は（２）に記載の結晶型人工降雪機構。
（４）前記排気経路は、末端が開口した複数の管状部材からなり、前記骨組みで区切られた前記捕集体の各段それぞれに、１つの管状部材の末端の開口が排気口として配置されている、前記（１）又は（２）に記載の結晶型人工降雪機構。
（５）前記各骨組みの外周にそれぞれ２つの前記張力部材が接続され、各張力部材が前記骨組みの中心から外側に向かう同一線方向に沿って外側に向かって延設されている、前記（１）〜（４）のいずれか１つに記載の結晶型人工降雪機構。
（６）前記各骨組みそれぞれに１つの前記張力部材が前記骨組みの中心部に接続されている、前記（１）〜（４）のいずれか１つに記載の結晶型人工降雪機構。
（７）前記（６）に記載の結晶型人工降雪機構を同一水平面上に複数配置してなる結晶型人工降雪機構集合体。
（８）前記（５）に記載の結晶型人工降雪機構を同一水平面上に複数配置し、隣接する結晶型人工降雪機構の対応する張力部材同士が連結されてなる結晶型人工降雪機構集合体。
（９）前記（１）〜（６）のいずれか１つに記載の結晶型人工降雪機構若しくは前記（７）又は（８）に記載の結晶型人工降雪機構集合体と、降雪用空気作製装置とを備える結晶型人工降雪装置。
【発明の効果】
【００１５】
本発明の結晶型人工降雪機構は、捕集体が空気透過性膜なので、結晶雪を作製する際には温度勾配・斑がなく、品質が安定した結晶雪が生成する。また、膜表面に、均一に結晶雪に必要な温度及び湿度の空気、並びに水蒸気及び過冷却微水滴が到達できるので、結晶品質を維持できる。また、本発明の結晶型人工降雪機構は、膜に対して一方向に供給された空気を全て吸い込ませることができるので、投入した水分がほぼ全て膜に捕集され、大量に結晶を生成でき、天井全面に機構を配置することで、降雪範囲を自由に設定できる。また、回転させるなど複雑な構造でなく、また、天井全面に膜を配置し、膜面そのものを歪ませ及び／又は振動させることにより結晶雪を落下させることができるので、降雪斑が起きにくい。
【００１６】
本発明の結晶型人工降雪機構によれば、均一で高品質な結晶雪を得られるため、４５ｋｇ／ｍ３程度と嵩密度の小さい降雪が得られる（自然の新雪は３０〜１５０ｋｇ／ｍ３程度）。なお、嵩密度が小さいほど、品質が良い結晶型降雪であることを示す。また、湿度投入量や風量を増やしたり、機構を多数配置したりすることによって、多量で広範囲への降雪を行うことができる。
【図面の簡単な説明】
【００１７】
【図１】本発明の結晶型人工降雪機構の第一実施態様の概念図である。
【図２】図１の降雪機構の結晶雪の剥離操作の概略図である。
【図３】図１の降雪機構を連結した集合体の結晶雪の剥離操作の概略図である。
【図４】本発明の結晶型人工降雪機構の第二実施態様の概念図である。
【図５】図４の降雪機構の結晶雪の剥離操作の概略図である。
【図６】図１の降雪機構を複数連結した集合体を備える結晶型人工降雪装置を側面から見た概念図である。
【図７】図６の結晶型人工降雪装置を上面から見た概念図である。
【発明を実施するための形態】
【００１８】
本発明の結晶型人工降雪機構は、低温高湿空気などの降雪用空気を作製する装置から降雪用空気を導入し、結晶雪を生成させ、降雪させる。以下に、図を参照しながら、本発明の結晶型人工降雪機構を説明する。
【００１９】
図１は、本発明の結晶型人工降雪機構の第一実施態様の概念図である。本発明の結晶型人工降雪機構１１は、上部から下部に向かって幅が狭くなる逆円錐台状の周側面を有し、少なくとも周側面が空気透過性有孔膜で構成される袋状結晶雪捕集体３１と、前記捕集体３１の周側面の内側面に、水平に密接した複数の円形骨組み２１と、前記捕集体３１の周側面の外側に離隔して設けられ、降雪用空気の給気口を備える給気経路（図示せず）と、前記捕集体３１の上部を貫通し、前記捕集体３１の内側に、前記有孔膜を透過した空気の排気口４１１を備える排気経路４１０と、前記各円形骨組み２１に接続され、前記各円形骨組み２１を歪ませ及び／又は振動させることができる張力部材５１と、を備える。
【００２０】
袋状結晶雪捕集体３１は、上部から下部に向かって幅が狭くなる逆円錐台状の周側面を有し、少なくとも周側面が空気透過性有孔膜で構成される。周側面の傾斜角は特に限定されず、適宜選択できる。ここで、逆円錐台には逆楕円錐台が含まれる。なお、図には、袋状結晶雪捕集体として、上部から下部に向かって幅が狭くなる逆円錐台状の周側面を有するものを示しているが、上部から下部に向かって幅が狭くなる逆多角錐台状の周側面を有するものとすることもできる。逆多角錐台としては、例えば、逆三角錐台、逆四角錐台、又はそれ以上の角数の逆多角錐台、並びにこれらの逆正角錐台が挙げられる。中でも、均一な結晶雪が得られる点で、角数の多い逆多角錐台及び逆円錐台が好ましく、逆円錐台が特に好ましい。
【００２１】
袋状結晶雪捕集体３１の下部は、空気不透過性部材や空気透過性有孔膜とすることができ、周側面と同様に空気透過性有孔膜とすることが好ましい。また、袋状結晶雪捕集体３１の上部は図に示していないが、周側面と同様に空気透過性有孔膜とすることの他、空気不透過性の天井躯体と一体にして塞ぎ、排気経路をその躯体に貫通させることができる。
【００２２】
袋状結晶雪捕集体３１の空気透過性有孔膜は、空気透過性があり、雪結晶を生成させ、堆積できるものであれば特に限定されないが、例えば、１００メッシュ、線径１２２μｍの網などが挙げられる。空気透過性有孔膜の材料は、天然繊維、樹脂、金属など、特に限定されないが、細孔を形成でき、また、歪ませたり振動させたりして堆積した結晶雪を剥離させるための適度な強度、柔軟性、弾性などの特性を有する点で、ポリエチレン、ポリエステル、ポリエステル、ポリプロピレン、テフロン（登録商標）などの合成樹脂が好ましく、ポリエチレンがより好ましい。
【００２３】
袋状結晶雪捕集体３１の外側に設けられた給気経路の給気口（図示せず）から給気される空気は、この捕集体３１の空気透過性有孔膜を透過して、捕集体３１の内側に設けられた排気口４１１から排気経路４１０を通って排気される。必要により、負圧にして吸引排気することができる。低温高含水の降雪用空気が有孔膜に接触すると、有孔膜の外側面で結晶雪が生成、成長する。更に、降雪用空気が有孔膜を透過すると、有孔膜の外側面に結晶雪が堆積する。
【００２４】
排気経路４１０は、末端が閉口した１つの管状部材からなり、前記円形骨組み２１で区切られた捕集体３１の各段それぞれに、通過する空気の流量を一定にした排気口４１１を備えている。排気経路４１０は、捕集体３１の逆円錐台の上面中心を貫通し下面中心まで延びて捕集体３１と連結されている。排気口の開口面積は、下方の段にあるものほど大きくなっている。このように、開口率や面積を調整して、各排気口を通過する空気の流量を一定にするなど、有孔膜単位面積当たりを透過する空気の量を均一にすると、それに堆積する結晶雪の品質が均一になる。
【００２５】
円形骨組み２１は、円形の骨組みであり、捕集体３１の周側面の内側面に、水平に密接している。円形骨組み２１と捕集体３１は、密着していてもよい。なお、図には、円形骨組みが示されているが、袋状結晶雪捕集体が逆多角錐台状の周側面を有している場合には、それに対応する多角形の骨組みとすることができる。円形骨組み２１は、例えば線状の円周部材と、円周の中心に配置された排気経路４１０に接続され、法線上に向かって延び、前記円周部材に連結された複数の、例えば２、３、４又は５本等の直線部材とで構成される。円形骨組みは、振動や歪みが生じても可逆的に形状が回復する材料、例えば、樹脂、ゴム等の弾性体や金属からなる。円形骨組みの数、各円形骨組み間の距離は、特に限定されず、適宜選択できる。
【００２６】
張力部材５１は、前記各円形骨組み２１に接続され、前記各円形骨組み２１を歪ませ及び／又は振動させることができるものである。張力部材５１の材料は特に限定されないが、例えば、ナイロンなどの樹脂、ゴム等の弾性体、鋼材等が挙げられる。図１では、記各円形骨組み２１の外周にそれぞれ２つ張力部材が接続され、同一法線方向に沿って外側に向かって延設されている。
【００２７】
降雪用空気は、低温高湿度の空気であり、例えば、氷点下であり、過冷却微水滴が飛散し、かつ氷飽和以上の過飽和蒸気を含む空気である。また、降雪用空気を作製する降雪用空気作製装置は、特に限定されないが、例えば、１）超音波加湿器などの加湿装置、２）二流体ノズルや超音波等で微水滴を噴霧して加湿する装置、３）加湿パン等の温水によって冷気を加湿する装置、４）湿度が水飽和以下の結晶用湿度空気を、前記結晶用湿度空気より低温の冷却用空気と混合して冷却する装置、特に、前記結晶用湿度空気が、外気若しくは加温又は冷却、及び／若しくは加湿又は減湿した外気を含むものである装置などが挙げられる。
【００２８】
次に、図２を参照しながら捕集体の空気透過性有孔膜に堆積した結晶雪の剥離操作について説明する。まず、前述のように、給気口から降雪用空気を供給し、有孔膜の外側面に結晶雪を堆積させる。例えば、１ｃｍ程度堆積したら、張力部材５１２及び５１４を円形骨組み２１２の円周方向に引っ張り及び／又は振動させる。それにより、円形骨組み２１２の形状が歪み及び／又は振動する。それに追随して、円形骨組み２１２に密接した捕集体３１１の円形骨組み２１２の近傍は、歪み及び／又は振動し、堆積している結晶雪が剥離する。振動だけでなく歪みを生じさせると剥離効果が高い。また、弾性復元力で跳ね返るときに、堆積している結晶雪は振り落とされる。捕集体３１１の外側面は、上方から下方に向かって狭まっているので、剥離した結晶雪は、落下し、降雪（Ｆ）になる。一方、この際に、張力部材５１１及び５１３は動かさないので、円形骨組み２１１の近傍は、歪みや振動が生じず、結晶雪は堆積したままである。このように、各段の張力部材を順次、引っ張り及び／又は振動させることにより、順次降雪させることができる。段数が多いほど、連続性が高まる。
【００２９】
次に、図３を参照しながら、図１の結晶型人工降雪機構を同一水平面上に複数配置した態様を説明する。結晶型人工降雪機構１１１の張力部材５１３は、隣接する結晶型人工降雪機構１１２の対応する張力部材５１５と連結されている。同様に、張力部材５１４は対応する張力部材５１６と連結されている。張力部材５１２と張力部材５１８を引っ張り及び／又は振動させることにより、円形骨組み２１２及び円形骨組み２１４が歪み及び／又は振動する。このように、結晶型人工降雪機構を複数連結すると、降雪面積を広げることができる。また、複数連結しても、操作は容易である。
【００３０】
図４は、本発明の結晶型人工降雪機構の第二実施態様の概念図である。結晶型人工降雪機構１２は、袋状結晶雪捕集体３２と、円形骨組み２２と、給気経路（図示せず）と、排気口４２１を備える排気経路４２０と、前記各円形骨組み２２に接続され、前記各円形骨組み２２を歪ませ及び／又は振動させることができる張力部材５２と、を備える。袋状結晶雪捕集体、円形骨組み、給気経路は第一の実施態様と同様である。第二実施態様の排気経路は、末端が開口した複数の管状部材からなり、前記円形骨組みで区切られた捕集体３２の各段それぞれに、１つの管状部材の末端の開口が排気口として配置されている。例えば、排気経路４２０は、末端が開口して排気口４２１になっている。また、各排気経路は、有孔膜単位面積当たりを通過する空気の流量が均一になるように、内径を調節している。張力部材５２は、円形骨組み２２の中心に接続され、張力部材５２を上に引っ張ることにより、円形骨組み２２を歪ませ及び／又は振動させることができる。
【００３１】
次に、図５を参照しながら、捕集体に堆積した結晶雪の剥離操作について説明する。張力部材５２２を円形骨組み２２２の軸方向に引っ張り上げ及び／又は振動させる。それにより、円形骨組み２２２の形状が歪み及び／又は振動する。円形骨組み２２２に密接している袋状結晶雪捕集体３２１の円形骨組み２２２の近傍は、それに追随して歪み及び／又は振動し、堆積している結晶雪が剥離する。第一実施態様と同様に、捕集体３２１の外側面は、上方から下方に向かって狭まっているので、剥離した結晶雪は、落下し、降雪（Ｆ）になる。一方、この際に、張力部材５２１は動かさないので、円形骨組み２２１の近傍は、歪みや振動が生じず結晶雪は堆積したままである。このように、各段の張力部材を順次、引っ張り又は振動させることにより、順次降雪させることができる。段数が多いほど、連続性が高まる。
【００３２】
なお、排気経路と剥離機構についてそれぞれ二つの態様を示したが、いずれの組み合わせも使用できる。
【００３３】
図６及び図７は、図１の結晶型人工降雪機構を複数連結した集合体を備える結晶型人工降雪装置の概念図であり、図６は側面から、図７は上面から見たものである。装置空間に均等に袋状結晶雪捕集体及び給気口を配置している。この様に、結晶型人工降雪機構を多数配置することにより、降雪範囲に均一に連続で降雪させることができる。
【００３４】
結晶型人工降雪装置９は、結晶型人工降雪機構集合体と降雪用空気作製装置８とからなる。降雪用空気作製装置８から給気経路６３０に降雪用空気を供給し（Ｓ）、給気経路６３０の給気口６３１等から降雪用空気が供給される（Ｓ）。降雪用空気は、捕集体３３１の空気透過性有孔膜に接触し、結晶雪が生成し、残余の空気が、空気透過性有孔膜を透過して、排気口４３１等から排気される（Ｅ）。排気（Ｅ）は、排気経路４３０を通って、降雪用空気作製装置８に戻る。給気口６３１は、排気口４３１と同一平面上配置されている。ここで、図７に示すように、給気経路６４０、６４１、６４２、６４３は、捕集体の中心軸（排気経路４４０）を中心として点対称に複数配置されている。このように、捕集体の中心軸を中心として点対称に複数配置されていると、捕集体の空気透過性有孔膜を通過する空気がより均一になるので、結晶品質が向上する。捕集体３３１の空気透過性有孔膜の外側面に結晶雪が堆積したら、張力駆動体７１及び７２で張力部材を引っ張り及び／又は振動させることによって、堆積した結晶雪が空気透過性有孔膜から剥離して、落下し、降雪になる（Ｆ）。
【００３５】
本発明の結晶型人工降雪装置は、その装置で製造する結晶雪を利用して、自動車等各種機械製品や、建材、構造物の耐久試験等に導入するような分野や、観察、イベントを目的とした、博物館等の体験用分野に利用できる。
【符号の説明】
【００３６】
１１、１１１、１１２、１２  結晶型人工降雪機構
２１、２１１、２１２、２１４、２２、２２１、２２２  円形骨組み
３１、３１１、３２、３２１、３３１  袋状結晶雪捕集体
４１０、４２０、４３０、４４０  排気経路
４１１、４２１、４３１  排気口
５１、５１１、５１２、５１３、５１４、５１５、５１６、５１７、５１８、５２、５２１、５２２  張力部材
６３０、６４０、６４１、６４２、６４３  給気経路
６３１  給気口
７１、７２、７３  張力駆動体
８  降雪用空気作製装置
９  結晶型人工降雪装置
Ｓ  給気
Ｅ  排気
Ｆ  降雪
【図１】
2014196877.tif 000003
【図２】
2014196877.tif 000004
【図３】
2014196877.tif 000005
【図４】
2014196877.tif 000006
【図５】
2014196877.tif 000007
【図６】
2014196877.tif 000008
【図７】
2014196877.tif 000009